(57)【要約】      （修正有）【課題】天井における法律で規定されたスプリンクラーヘッドの間隔が、満たされているか否かを簡易に知る簡易距離表示装置を提供する。【解決手段】作業員７は、天井９の２つのスプリンクラーヘッドのうち、一方に、伸縮式の支持棒３を伸長し先端を位置させ、水平面内で互いに直交する位置に２つ配置された水準器を用い、支持棒３を垂直状態にする。そして、支持棒３に設けられたレーザー照射手段５のレーザー光により所定角度θで上向き斜めに天井９を照射する。レーザー照射手段５と天井９との垂直距離Ｌ１は一定であり、所定角度θとによって、支持棒３の先端位置２１から照射位置までの所定水平距離Ｌ２は、決まる。照射位置を、他方のスプリンクラーヘッドへ近づければ、規定された間隔よりも、実際の間隔は短いか長いかが、簡易に示される。さらに、角度調整手段によって照射の角度を調整することで、所定水平距離Ｌ２を任意に調整することができる。【選択図】図１
2013156101.tif 000002
【特許請求の範囲】
【請求項１】
床または作業員が手に持った位置から先端が天井まで届く伸縮式の支持棒と、この支持棒に設けられてこの支持棒の垂直状態を検知するために水平面内で互いに直交する位置に２つ配置された水準器と、この支持棒の所定位置に設けられ、レーザー光により所定角度で上向き斜めに天井を照射することで照射位置が前記支持棒の先端位置から所定水平距離であることを示すレーザー照射手段と、前記照射の角度を調整することで前記所定水平距離を調整する角度調整手段と、を有することを特徴とする簡易距離表示装置。
【請求項２】
前記支持棒は、伸長されることで床と天井の間に固定される構成を有し、前記所定水平距離は、天井に設けられたスプリンクラーヘッドの間隔に相当する距離であり、前記角度調整手段は、前記レーザー照射手段からのレーザー光を反射するプリズムの角度を調整するものであることを特徴とする請求項１に記載の簡易距離表示装置。
【発明の詳細な説明】
【技術分野】
【０００１】
この発明は、天井における距離を表示する簡易距離表示装置に関する。
【背景技術】
【０００２】
天井における距離を簡易に知る必要は、色々のケースで生じる。
例えば、天井に設けられたスプリンクラーヘッドの相互間隔は、スプリンクラーヘッドの性能に応じて、総務省令などに基づいて、細かく規定されている。スプリンクラーヘッドと壁などの構造物との距離も細かく規定されている。この規定が満たされているか否かを、天井やスプリンクラーヘッドが完成した後などで、検査する必要がある。
【０００３】
天井における距離を簡易に知るには、通常は、検査員が、脚立に登り、巻尺を使って、実際に測っていた。
下記特許文献１では、レーザーポンターを用いて、壁にレーザー光を照射し、室内における計測を行う技術が開示される。
【先行技術文献】
【特許文献】
【０００４】
【特許文献１】特開２００６−０２３２３７
【発明の概要】
【発明が解決しようとする課題】
【０００５】
しかしながら、天井における距離を簡易に知るために、脚立に登り巻尺を使う作業は、非効率的であり、脚立から墜落する危険もともなうものであった。
また、上記特許文献１は、天井における距離を簡易に知るためのものではなく、そのような応用が可能との推測もできない。
この発明は、以上の問題点を解決するために、効率的に安全に天井における距離を簡易に知るための簡易距離表示装置を提供することを目的とする。
【課題を解決するための手段】
【０００６】
以上の課題を解決するために、第一発明は、床または作業員が手に持った位置から先端が天井まで届く伸縮式の支持棒と、この支持棒に設けられてこの支持棒の垂直状態を検知するために水平面内で互いに直交する位置に２つ配置された水準器と、この支持棒の所定位置に設けられ、レーザー光により所定角度で上向き斜めに天井を照射することで照射位置が前記支持棒の先端位置から所定水平距離であることを示すレーザー照射手段と、前記照射の角度を調整することで前記所定水平距離を調整する角度調整手段と、を有することを特徴とする簡易距離表示装置。
第二発明は、さらに、前記支持棒は、伸長されることで床と天井の間に固定される構成を有し、前記所定水平距離は、天井に設けられたスプリンクラーヘッドの間隔に相当する距離であり、前記角度調整手段は、前記レーザー照射手段からのレーザー光を反射するプリズムの角度を調整するものであることを特徴とする請求項１に記載の簡易距離表示装置である。
【発明の効果】
【０００７】
第一、又は第二発明によれば、作業員は、天井での距離を知りたい２つの点のうち、一方の点に、伸縮式の支持棒を伸長し先端を位置させる。そして、水平面内で互いに直交する位置に２つ配置された水準器を用い、支持棒を垂直状態にする。その後に、この支持棒に設けられたレーザー照射手段を機能させ、レーザー光により所定角度θで上向き斜めに天井を照射する。レーザー照射手段は、支持棒の所定位置に設けられているので、レーザー照射手段と天井との垂直距離Ｌ１は一定であり、上記所定角度θとによって、支持棒の先端位置から照射位置までの所定水平距離Ｌ２は、決まる。よって、照射位置が支持棒の先端位置から所定水平距離Ｌ２であることが簡易に示されることとなる。
【０００８】
この照射位置を、支持棒を棒の軸回りに回動させることで、天井の距離を知りたい２つの点のうち他方の点へ近づければ、照射位置が他方の点より遠ければ、知りたい距離は、所定水平距離Ｌ２よりも短く、照射位置が他方の点より近ければ、知りたい距離は、所定水平距離Ｌ２よりも長い、ということが簡易に示される。
【０００９】
また、角度調整手段によって照射の角度を調整することで、所定水平距離Ｌ２を任意に調整することができる。
第二発明によれば、さらに、支持棒は、伸長されることで床と天井の間に固定されるので、手ぶれにより、照射位置がぶれることがなく、その分、正確に距離を表示できる。
また、所定水平距離Ｌ２を、規定された、スプリンクラーヘッドの間隔に相当する距離に設定しておけば、一方のスプリンクラーヘッドに、伸縮式の支持棒を伸長し先端を位置させ、照射位置を、他方のスプリンクラーヘッドへ近づけることで、照射位置が他方のスプリンクラーヘッドより遠ければ、規定された間隔よりも、実際の間隔は短いことが示され、照射位置が他方のスプリンクラーヘッドより近ければ、規定された間隔よりも、実際の間隔は長いことが簡易に示される。
【００１０】
さらに、角度調整手段によって照射の角度を調整することで、所定水平距離Ｌ２を任意に調整することができるので、スプリンクラーの性能によって異なる、規定された距離に任意に設定することができる。
【図面の簡単な説明】
【００１１】
【図１】この発明の一実施形態を示す装置の使用状態図である。
【図２】図１のＩＩ部の詳細を示すもので、（Ａ）はＩＩ部の外観拡大図、（Ｂ）は（Ａ）のレーザー照射手段の概略分解図、（Ｃ）は（Ａ）の水準器装置の拡大図、（Ｄ）は（Ａ）の角度調整手段の要部の拡大図である。
【図３】図２（Ａ）の機能を説明する内部のブロック図である。
【図４】図１のＩＶ部の詳細を示すもので、支持棒の先端の拡大図である。
【図５】図１のＶ部の詳細を示すもので、支持棒の短縮状態の拡大図である。
【図６】図１の装置の使用状態を示す模式図である。
【発明を実施するための形態】
【００１２】
この発明の一実施形態に係る簡易距離表示装置を、図１〜図６に示す。
図１に示すように、この簡易距離表示装置１は、支持棒３とレーザー照射手段５などからなる。支持棒３は、作業員７が手に持った位置から、先端が天井９まで届く十分な長さを有する伸縮式の棒である。
【００１３】
図１，図２に示すように、この支持棒３には水準器装置１０が設けられる。すなわち、この支持棒３の垂直状態を検知するために、水平面内で互いに直交する位置に２つの水準器１１が配置される（図２（Ｃ））。水準器１１は、液泡式で、上向きで緩やかな円弧状をなす円筒状の部屋１３が、液１５で満たされ、この液１５の一部には一つの気泡１７が浮かぶ。水準器１１が水平なときには、気泡１７が円弧状の中央に位置するように配置される。２つの水準器１１は、円筒状の向きが、水平面内で互いに直交する。両方の水準器１１は、透明な一つのプラスチック体１９の中に、形成される。両方の水準器１１で、気泡１７が円弧状の中央に位置するときには、このプラスチック体１９は、水平面内のどの方向にも水平であり、よって、このプラスチック体１９が取付けられた支持棒３は垂直状態である。
【００１４】
図１，図２（Ａ）（Ｂ）、図３に示すように、この支持棒３の所定位置にレーザー照射手段５が設けられる。所定位置とすることで、支持棒３を伸長したときに、レーザー照射手段５と天井９までの垂直距離Ｌ１（図１）は一定となる。レーザー照射手段５のレーザー光により、所定角度θで、上向き斜めに天井９を照射する。照射位置は、丸い光のスポットが現われる。このスポットすなわち照射位置が、支持棒３の先端位置２１から所定水平距離Ｌ２であることを示す。
【００１５】
図２（Ｂ）、図３に示すように、レーザー照射手段５は、円筒状の本体カバー２３の中に、電池２４によって機能するレーザー照射器２５が固設される。電池２４は、本体カバー２３の底蓋の下面に露出するスイッチ２７により、ＯＮ・ＯＦＦされる。レーザー照射器２５から照射されたレーザー光が、プリズム２９によって受けられ、９０度、光路が変えられ、本体カバー２３の照射スリット３０から照射される。このプリズム２９は、回動軸３１によって回動可能に保持され、回動軸３１は本体カバー２３外部の円形ハンドル３３に連結される。円形ハンドル３３により、回動角度が調整される。円形ハンドル３３とその周囲の本体カバー２３には、目盛が刻まれ、回動角度が目視できる（図２（Ｄ））。
このようにしてプリズム２９の角度が調整されることで、照射の角度を調整する。角度が調整されることで、所定水平距離Ｌ２を調整する。このようにして角度調整手段が構成される。
【００１６】
図４及び図５に示すように、支持棒３の先端には、ヒンジ３５によって２つのアーム３７が回動可能に設けられる。２つのアーム３７は、各々左右に回動して、水平に広がり、図示しないロック装置によりロックされる。これにより、水平に広がった２つのアーム３７が天井に接することで、支持棒３の大まかな垂直状態が、容易に得られる。その後の正確な垂直状態は、水準器装置１０を見ながら作業員７の微妙な手作業で、得られる。使用後は、各アーム３７はロックが解除され、下方へ折り畳まれる。
【００１７】
「実施形態の効果」
図１，図６に示すように、作業員７は、天井９の距離を知りたい２つの点のうち、一方の点に、伸縮式の支持棒３を伸長し先端を位置させる。そして本実施形態では、知りたい距離は、スプリンクラーヘッド３９の間隔であり、２つの点は、２つのスプリンクラーヘッド３９である。よって、一方のスプリンクラーヘッド３９に、伸縮式の支持棒３を伸長した先端を位置させる。
【００１８】
そして、支持棒３の下部を手で持ち、水平面内での位置を微妙に調整しながら、水平面内で互いに直交する位置に２つ配置された水準器１１を有する水準器装置１０を見ながら、両方の水準器１１で、気泡１７（図２（Ｃ））が円弧状の中央に位置する位置を見付ける。その位置で、２つの水準器１１が形成されたプラスチックは、水平面内のどの方向にも水平であることが分かり、よって、このプラスチックが取付けられた支持棒３は垂直状態であることがわかる。このようにして、支持棒３を垂直状態にする。
【００１９】
その後に、この支持棒３に設けられたレーザー照射手段５のスイッチ２７を入れ、発光させる。そして、レーザー光により、所定角度θで上向き斜めに、天井９の一点を照射する。
このとき、レーザー照射手段５は、支持棒３の所定位置に設けられているので、レーザー照射手段５と天井９との垂直距離Ｌ１は一定で、分っている。また、照射の所定角度θは、分っている。これらのＬ１とθとによって、支持棒３の先端位置２１から照射位置であるスポットまでの所定水平距離Ｌ２は、決まる。よって、照射位置が、支持棒３の先端位置２１から所定水平距離Ｌ２であることが簡易に示されることとなる。
【００２０】
Ｌ２＝Ｌ１・ｔａｎθ
この所定水平距離Ｌ２を、法律などで規定された、天井９に設けられたスプリンクラーヘッド３９の間隔に相当する距離、例えば２３００ｍｍに、予め設定しておく。
この照射位置である光のスポットを、支持棒３を棒の軸回りに回動させることで、天井９の距離を知りたい２つの点のうち他方の点へ、すなわち他方のスプリンクラーヘッド３９へ近づける。そして、照射位置であるスポットが、他方のスプリンクラーヘッド３９より遠ければ、規定された間隔よりも、実際の間隔は短いことが簡易に示される。また、照射位置であるスポットが、他方のスプリンクラーヘッド３９より近ければ、規定された間隔よりも、実際の間隔は長いことが簡易に示される。
【００２１】
さらに、角度調整手段によって照射の角度を調整することで、所定水平距離Ｌ２を任意に調整することができるので、スプリンクラーの性能により、性能が良ければ長くなり、悪ければ短くなる規定距離に任意に設定することができる。
【００２２】
「他の実施形態」
以上の実施形態では、支持棒３は作業員７が手に持って作業を行うものであったが、他の実施形態では、支持棒３は、伸長されることで床と天井９の間に固定される構成を有するものであってもよい。例えば、壁と壁の間に設けられて、フックなど吊り下げるための突っ張り棒のように、棒の軸回りに回転させながら伸長し、強い力で、天井９と床の間に固定されるものとすることができる。これにより、作業員７は装置を手で支える必要がなく、よって、手ぶれにより照射位置がぶれることがないので、その分、正確に距離を表示できる。
【００２３】
以上の実施形態では、角度調整手段は、プリズム２９を回動させるものであったが、他の実施形態では、プリズム２９を設けずに、レーザー照射器２５自体を回動させるものであっても良い。
【符号の説明】
【００２４】
１…簡易距離表示装置、３…支持棒、５…レーザー照射手段、７…作業員、９…天井、１１…水準器、１３…部屋、１５…液、１７…気泡、１９…プラスチック体、２１…先端位置、２３…本体カバー、２５…レーザー照射器、２７…スイッチ、２９…プリズム、３０・・照射スリット、３１…回動軸、３３…円形ハンドル、３５…ヒンジ、３７…アーム、３９…スプリンクラーヘッド。
【図１】
2013156101.tif 000003
【図２】
2013156101.tif 000004
【図３】
2013156101.tif 000005
【図４】
2013156101.tif 000006
【図５】
2013156101.tif 000007
【図６】
2013156101.tif 000008
【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
床または作業員が手に持った位置から先端が天井まで届く伸縮式の支持棒と、この支持棒に設けられてこの支持棒の垂直状態を検知するために水平面内で互いに直交する位置に２つ配置された水準器と、この支持棒の作業員が手で操作できる位置に設けられ、レーザー光により所定角度で上向き斜めに天井を照射することで照射位置が前記支持棒の先端位置から所定水平距離であることを示すレーザー照射手段と、前記照射の角度を調整することで前記所定水平距離を調整する角度調整手段と、を有することを特徴とする簡易距離表示装置。
【請求項２】
前記支持棒は、伸長されることで床と天井の間に固定される構成を有し、前記所定水平距離は、天井に設けられたスプリンクラーヘッドの間隔に相当する距離であり、前記角度調整手段は、前記レーザー照射手段からのレーザー光を反射するプリズムの角度を調整するものであることを特徴とする請求項１に記載の簡易距離表示装置。